(57)【要約】【課題】室内機の端部から中央部にかけて、もしくは中央部において生じる断続的異常音（サージング）が少ない空気調和機を提供する。【解決手段】クロスフローファン５、スタビライザ７、リアガイダ９、熱交換器６、前記熱交換器６熱交換された空気を吹き出す吹き出し口１４備え、前記リアガイダ９の前記吹き出し口１４に臨む部分の任意の位置に突起８を設けたもので、突起８により吹出し速度が改善され、不安定空気流の発生を防止し、空気流の乱れを抑制する。また、フィルター（図示せず）に埃が堆積することにより通風抵抗が大きくなった時に生じる断続的異常音（サージング）を低減することができる。【選択図】図２
2005308273.tif 000002
【特許請求の範囲】
【請求項１】
クロスフローファンと、スタビライザと、リアガイダと、熱交換器と、前記熱交換器で熱交換された空気を吹き出す吹き出し口とを備え、前記リアガイダの前記吹出し口に臨む部分の任意の位置に突起を設けたことを特徴とする空気調和機。
【請求項２】
同一形状の突起を、吹き出し口の中心に対して左右対称の位置になるように、リアガイダに設けた請求項１記載の空気調和機。
【請求項３】
突起の高さを、上流側から下流側にかけて徐々に高くしたことを特徴とする請求項１または２記載の空気調和機。
【請求項４】
突起の形状を略三角形状とし、その先端を上流側に配したことを特徴とする請求項１〜３のいずれか１項に記載の空気調和機。
【請求項５】
突起の内側の側面を、空気の吹出し方向と平行にした請求項４記載の空気調和機。
【発明の詳細な説明】
【技術分野】
【０００１】
本発明は、住宅などの空調に用いる空気調和機に関するもので、特に室内機に関するものである。
【背景技術】
【０００２】
従来、この種の空気調和機の室内機は、リアガイダの端部のファン近傍から吹出し口部までの間にブロックを設け、ファン端部の吹出し速度を改善し、不安定空気流の発生や逆吸込みを防止し、吹出し風向きを偏向した場合でも空気流の乱れを抑制するようにしている。また、フィルターに埃が堆積することにより通風抵抗が大きくなった時に生じる断続的異常音（サージング）を低減している（例えば、特許文献１参照）。
【０００３】
図８は、上記特許文献１に記載された従来の空気調和機の室内機の要部斜視図である。図８に示すように、従来の空気調和機の室内機は、ケーシングを構成するスタビライザ７とリアガイダ９との間に配設されたクロスフローファン５と、スタビライザ７とリアガイダ９とで構成され空気を吹き出す吹き出し口１４と、吹き出し口１４に設けられ吹き出し風向を偏向するルーバー１１とを備えて、送風回路を構成し、リアガイダ９の少なくとも一方の端部の前記ファン５近傍から前記吹き出し口１４までの間にブロック１０が設けられていた。
【特許文献１】特開平５−８７０８７号公報
【発明の開示】
【発明が解決しようとする課題】
【０００４】
しかしながら、前記従来の構成では、ブロック１０の効果により、端部近傍に生じるサージングは低減することができるが、一方で、サージングは端部からのみ生じるわけではなく、場合によっては端部から中央部分にかけて、若しくは、中央部分から生じるものなど様々である。端部以外からのサージングの場合、ブロック１０は有効な対策となり得ないという課題を有していた。
【０００５】
本発明は、前記従来の課題を解決するもので、端部から中央部にかけて、もしくは中央部においても、送風性能の低下が少なく、サージングを抑えることのできる空気調和機を提供することを目的とする。
【課題を解決するための手段】
【０００６】
前記従来の課題を解決するために、本発明の空気調和機は、クロスフローファンと、スタビライザと、リアガイダと、熱交換器と、前記熱交換器で熱交換された空気を吹き出す吹き出し口とを備え、前記リアガイダの前記吹出し口に臨む部分の任意の位置に突起を設けたもので、突起により空気の吹出し速度が改善され、不安定空気流の発生を防止し、空気流の乱れを抑制する。また、フィルターに埃が堆積することにより通風抵抗が大きくなった時に生じる断続的異常音（サージング）を低減することができる。
【発明の効果】
【０００７】
本発明の空気調和機は、端部から中央部にかけて、もしくは中央部においても、送風性能の低下が少なく、サージングを抑えることができる。
【発明を実施するための最良の形態】
【０００８】
第１の発明は、クロスフローファンと、スタビライザと、リアガイダと、熱交換器と、前記熱交換器で熱交換された空気を吹き出す吹き出し口とを備え、前記リアガイダの前記吹出し口に臨む部分の任意の位置に突起を設けたもので、突起により空気の吹出し速度が改善され、不安定空気流の発生を防止し、空気流の乱れを抑制する。また、フィルターに埃が堆積することにより通風抵抗が大きくなった時に生じる断続的異常音（サージング）を低減することができる。
【０００９】
第２の発明は、特に、第１の発明のリアガイダに、同一形状の突起を、吹き出し口の中心に対して左右対称の位置になるように設けたもので、吹き出し口における空気流も対称となり、不安定空気流の発生をより確実に防止し、空気流の乱れを抑制すると同時に、シンメトリーな意匠性を高めつつ、断続的異常音（サージング）を低減することができる。
【００１０】
第３の発明は、特に、第１または第２の発明の突起の高さを、上流側から下流側にかけて徐々に高くしたもので、リアガイダの上流から流れてくる空気流は滑らかに突起上を通過することとなり、送風性能の低下を少なくしながら、断続的異常音（サージング）を低減することができる。
【００１１】
第４の発明は、特に、第１〜３のいずれか１つの発明の突起の形状を略三角形状とし、その先端を上流側に配したもので、上流側から流れてくる空気流の流れの向きが、略三角形状の突起の左右の壁により変えられ、局所的に吹出し速度を改善し、断続的異常音（サージング）を低減することができる。
【００１２】
第５の発明は、特に、第４の発明の突起の内側の側面を、空気の吹出し方向と平行にしたもので、外側に比べ、断続的異常音（サージング）の低減効果の小さい内側の空気流に対する通風抵抗を小さくすることができるので、送風性能の低下をより少なくしながら、断続的異常音（サージング）を低減することができる。
【００１３】
以下、本発明の実施の形態について、図面を参照しながら説明する。なお、この実施の形態によって本発明が限定されるものではない。
【００１４】
（実施の形態１）
図１は、本発明の第１の実施の形態における空気調和機の室内機の外観斜視図、図２は、同室内機の断面略図、図３は、同室内機のリアガイダの斜視図である。
【００１５】
図において、本体１は、台枠２と、この台枠２の前方に取り付けられた前面カバー３とからなり、台枠２および前面カバー３の上部には、吸い込みグリル４が設けられている。
【００１６】
本体１には、ファン５の中心から見て略全域を囲むようにスタビライザ７、リアガイダ９、熱交換器６が配されている。
【００１７】
吹き出し口１４は、熱交換器６で熱交換された空気が吹き出す吹き出し口で、その吹き出し口１４には、吹き出し風向を変えるルーバー１１が設けられている。そして、図３に示すようにリアガイダ９の吹き出し口１４に臨む部分の任意の位置に、間を置いて複数の突起８が配されている。
【００１８】
以上のように構成された空気調和機の室内機について、以下その動作、作用を説明する。
【００１９】
本実施の形態においては、リアガイダ９の吹き出し口１４の端部から中央にかけて任意の位置、若しくは、中央に突起８を配することにより、熱交換された空気の吹出し速度を改善し、不安定空気流の発生を防止し、空気流の乱れを抑制し、また、フィルター（図示せず）に埃が堆積し通風抵抗が大きくなった時に生じる断続的異常音（サージング）を低減することができる。
【００２０】
（実施の形態２）
図４は、本発明の第２の実施の形態における空気調和機の室内機のリアガイダの斜視図である。なお、上記実施の形態と同一部分については同一符号を付してその説明を省略する。
【００２１】
本実施の形態は、図４に示すように、同一形状で、しかも同数の突起８を、吹き出し口１４の中心に対し左右対称の位置になるように、リアガイダ９に配するもので、吹き出し口１４における空気流も対称となり、不安定空気流の発生を防止し、空気流の乱れを抑制すると同時に、シンメトリーな意匠性を高めつつ、断続的異常音（サージング）を低減することができる。
【００２２】
（実施の形態３）
図５は、本発明の第３の実施の形態における空気調和機のリアガイダの斜視図である。なお、上記実施の形態と同一部分については同一符号を付してその説明を省略する。
【００２３】
本実施の形態は、図５に示すように、突起８の高さを、上流側から下流側にかけて徐々に高くしたもので、リアガイダ９の上流側から流れてくる空気流が滑らかに突起８上を通過することとなり、送風性能の低下をより少なくしながら、断続的異常音（サージング）を低減することができる。
【００２４】
（実施の形態４）
図６は、本発明の第４の実施の形態における空気調和機の室内機のリアガイダの部分拡大斜視図である。なお、上記実施の形態と同一部分については同一符号を付してその説明を省略する。
【００２５】
本実施の形態は、図６に示すように、リアガイダに設ける突起８の形状を略三角形状とし、その先端を上流側に配したもので、これにより上流から流れてくる空気流の流れが、略三角形状の突起８の左右の側面により変えられ、局所的に吹出し速度を改善し、断続的異常音（サージング）を低減することができる。
【００２６】
また、図７に示すように、上記突起８の内側の側面を、空気の吹出し方向と平行にすれば、外側に比べ、断続的異常音（サージング）の低減効果の小さい内側の空気流に対する通風抵抗を小さくすることとなり、送風性能の低下をより少なくしながら、断続的異常音（サージング）を低減することができる。
【産業上の利用可能性】
【００２７】
以上のように、本発明にかかる空気調和機は、各部で発生する断続的異常音（サージング）の低減を図ることができるので、空気調和機のみならず、換気装置、空気清浄機、送風装置など、クロスフローファンを用いるあらゆる機器、装置に適用できる。
【図面の簡単な説明】
【００２８】
【図１】本発明の実施の形態１における空気調和機の室内機の外観斜視図
【図２】同室内機の断面略図
【図３】同室内機のリアガイダの斜視図
【図４】本発明の実施の形態２における空気調和機の室内機のリアガイダの斜視図
【図５】本発明の実施の形態３における空気調和機の室内機のリアガイダの斜視図
【図６】本発明の実施の形態４における空気調和機の室内機のリアガイダの部分拡大斜視図
【図７】他の例を示す空気調和機の室内機のリアガイダの部分拡大斜視図
【図８】従来の空気調和機の室内機の内部構成を示す要部斜視図
【符号の説明】
【００２９】
１  本体
２  台枠
３  前面カバー
４  吸い込みグリル
５  クロスフローファン
６  熱交換器
７  スタビライザ
８  突起
９  リアガイダ
１４  吹き出し口
【図１】
2005308273.tif 000003
【図２】
2005308273.tif 000004
【図３】
2005308273.tif 000005
【図４】
2005308273.tif 000006
【図５】
2005308273.tif 000007
【図６】
2005308273.tif 000008
【図７】
2005308273.tif 000009
【図８】
2005308273.tif 000010